(57)【特許請求の範囲】
【請求項１】
器具本体に取り付けられ、且つ少なくとも主出射方向へ光を出射可能な発光素子を含む発光ユニットと、
前記器具本体に取り付けられて前記発光素子を覆うカバー部と、
前記カバー部内に配置され且つ前記発光素子が発する光の少なくとも一部を反射する反射部材と、を含み、
前記発光ユニット、前記カバー部及び前記反射部材は、いずれも長手方向を揃えた長尺状であり、
前記発光ユニットは、前記発光素子が設けられた素子基板が取り付けられ且つ長尺状の平板である素子基板取付部と、前記素子基板取付部を支持し、且つ前記カバー部に取り付けられる二つの基板支持部と、前記素子基板取付部の前記素子基板が取り付けられる面と反対側の面に設けられ、且つ前記器具本体に設けられたバネ部が係合するバネ受部、及び前記素子基板取付部の前記素子基板が取り付けられる面と反対側の面に設けられ、且つ前記器具本体の前記素子基板取付部を向く面に設けられたバネ受部に係合するとともに前記発光ユニット、前記反射部材、前記カバー部を吊り上げて保持可能な弾性力を有するバネ部のうち一方と、を含み、
前記カバー部は、前記発光素子が出射した光が透過する透光部と、前記透光部を支持し、且つ前記器具本体に取り付けられる二つの取付部と、を含み、
前記基板支持部は、前記素子基板取付部の長辺に連続し且つ前記底面部から離れる方向へ延在する板状の部材である側壁部と、前記側壁部と対向する板状の部材である外側対向部と、前記側壁部と前記外側対向部とを連結する板状の部材である傾斜連結部と、を含み、
前記反射部材は、短手方向の中央部が前記素子基板と前記素子基板取付部との間に挟持され且つ短手方向の端部が前記傾斜連結部に取り付けられ、
前記バネ受部に前記バネ部が係合することで、前記二つの取付部が前記器具本体に接触する光源ユニット。
【請求項２】
前記カバー部は、前記取付部の前記器具本体と接触する面の裏面から突出して前記基板支持部よりも前記素子基板取付部から離れた位置に配置される内方下側突出部をさらに含み、
前記反射部材の短手方向の端部は、前記傾斜連結部と前記内方下側突出部に挟持されて傾斜連結部に取り付けられる請求項１に記載した光源ユニット。
【請求項３】
前記カバー部は、前記取付部の前記器具本体と接触する面の裏面から突出して前記内方下側突出部よりも前記素子基板取付部に近い位置に配置される内方上側突出部をさらに含み、
前記内方上側突出部は、前記外側対向部の端部と接触している請求項２に記載した光源ユニット。
【請求項４】
前記基板支持部のうち前記取付部と対向する部分の裏面側と前記素子基板取付部との間に空隙部を形成した請求項１から請求項３のうちいずれか１項に記載した光源ユニット。
【請求項５】
前記カバー部を、白色に形成した請求項１から請求項４のうちいずれか１項に記載した光源ユニット。
【請求項６】
前記カバー部は、光拡散性を有する請求項５に記載した光源ユニット。
【請求項７】
前記発光素子は、ＬＥＤ素子である請求項１から請求項６のうちいずれか１項に記載した光源ユニット。
【請求項８】
前記透光部は、前記素子基板取付部と平行な平板状である主面部と、前記主面部と前記各取付部との間を連結する平板状である二つの斜面部と、を含み、
前記素子基板取付部の長手方向から見た前記主面部と前記二つの斜面部との境界を、前記ＬＥＤ素子が出射した光の照度が予め設定した照度閾値未満となる位置に配置した請求項７に記載した光源ユニット。
【請求項９】
前記カバー部の前記素子基板取付部の長手方向に沿った両端は、同一形状で開口し、
前記カバー部は、前記素子基板取付部の長手方向に沿った両端に形成された開口部をそれぞれ覆う二つの端部カバーを含み、
前記端部カバーは、透光性を有する請求項１から請求項８のうちいずれか１項に記載した光源ユニット。
【発明の詳細な説明】
【技術分野】
【０００１】
本発明は、例えば、居室の天井等に設置する照明装置が備える光源ユニットに関する。
【背景技術】
【０００２】
居室の天井等に設置する照明装置として、例えば、特許文献１に開示されているように、吊りボルトを用いて天井に設置される器具本体が、ＬＥＤ素子を有する光源ユニットを収容する二箇所の収容凹部を備えたものがある。
また、特許文献１に開示されている照明装置では、二箇所の収容凹部を、ＬＥＤ素子を間に挟んで設けており、二箇所の収容凹部内に、それぞれ、ＬＥＤ素子が照射した光を反射する反射板を配置している。
【先行技術文献】
【特許文献】
【０００３】
【特許文献１】特開２０１４−１８６９６６号公報
【発明の概要】
【発明が解決しようとする課題】
【０００４】
しかしながら、特許文献１に記載されている技術では、ＬＥＤ素子が照射した光を反射するために、二つの反射板と、これらの反射板を内部に配置する二箇所の収容凹部を設ける必要があるため、部品点数が増加するという問題点があった。
本発明の課題は、部品点数の増加を抑制することが可能な光源ユニットを提供することである。
【課題を解決するための手段】
【０００５】
上記課題を解決するために、本発明の一態様に係る光源ユニットは、器具本体に取り付けられ、且つ少なくとも主出射方向へ光を出射可能な発光素子を含む発光ユニットと、
前記器具本体に取り付けられて前記発光素子を覆うカバー部と、
前記カバー部内に配置され且つ前記発光素子が発する光の少なくとも一部を反射する反射部材と、を含み、
前記発光ユニット、前記カバー部及び前記反射部材は、いずれも長手方向を揃えた長尺状であり、
前記発光ユニットは、前記発光素子が設けられた素子基板が取り付けられ且つ長尺状の平板である素子基板取付部と、前記素子基板取付部を支持し、且つ前記カバー部に取り付けられる二つの基板支持部と、前記素子基板取付部の前記素子基板が取り付けられる面と反対側の面に設けられ、且つ前記器具本体に設けられたバネ部が係合するバネ受部、及び前記素子基板取付部の前記素子基板が取り付けられる面と反対側の面に設けられ、且つ前記器具本体の前記素子基板取付部を向く面に設けられたバネ受部に係合するとともに前記発光ユニット、前記反射部材、前記カバー部を吊り上げて保持可能な弾性力を有するバネ部のうち一方と、を含み、
前記カバー部は、前記発光素子が出射した光が透過する透光部と、前記透光部を支持し、且つ前記器具本体に取り付けられる二つの取付部と、を含み、
前記基板支持部は、前記素子基板取付部の長辺に連続し且つ前記底面部から離れる方向へ延在する板状の部材である側壁部と、前記側壁部と対向する板状の部材である外側対向部と、前記側壁部と前記外側対向部とを連結する板状の部材である傾斜連結部と、を含み、
前記反射部材は、短手方向の中央部が前記素子基板と前記素子基板取付部との間に挟持され且つ短手方向の端部が前記傾斜連結部に取り付けられ、
前記バネ受部に前記バネ部が係合することで、前記二つの取付部が前記器具本体に接触する。
【発明の効果】
【０００６】
本発明の一態様によれば、発光ユニットが備える、素子基板、素子基板取付部及び傾斜連結部により、反射部材を保持することが可能となるため、部品点数の増加を抑制することが可能な光源ユニットを提供することが可能となる。
【図面の簡単な説明】
【０００７】
【図１】本発明の第一実施形態における、照明装置の外観を説明するための斜視図である。
【図２】本発明の第一実施形態における、器具本体の下方向からの外観を示す斜視図である。
【図３】本発明の第一実施形態における、光源ユニットの上方向からの外観を示す斜視図である。
【図４】本発明の第一実施形態における、照明装置の構成を説明するための横断面図である。
【発明を実施するための形態】
【０００８】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で示す場合がある。
【０００９】
（第一実施形態）
以下、本発明の第一実施形態について、図面を参照しつつ説明する。
（照明装置の構成）
図１から図４を用いて、照明装置１の構成について説明する。なお、図１は、照明装置１の上方向からの斜視図である。
照明装置１は、被取付面に設けられた取付孔（図示せず）に挿通された吊りボルトＨＢを用いて、被取付面に設置される装置である。
なお、被取付面とは、建築物を形成するための造営材が形成する居室の表面である。
【００１０】
第一実施形態では、被取付面を、天井材の居室側の表面（天井面）とした場合について説明する。すなわち、第一実施形態では、照明装置１を、居室の天井照明として用いた場合について説明する。
したがって、図１中には、照明装置１が天井に取り付けられる場合に、最初に天井と対向する方向を、上下方向の「上方」と示し、床方向を、上下方向の「下方」と示す。なお、以降の説明でも、照明装置１が天井に取り付けられる場合に、最初に天井と対向する方向を、上下方向の「上方」と記載する場合がある。同様に、床方向を、上下方向の「下方」と記載する場合がある。また、以降の説明で用いる図中においても、同様に、「上下方向」、「上方」、「下方」を示す場合がある。
なお、第一実施形態では、一つの照明装置１のみを用いて、居室の天井照明である照明機器を形成した場合について説明する。
照明装置１は、図１から図４中に示すように、器具本体１０と、二つの側端カバー２と、光源ユニット４を備えている。
【００１１】
（器具本体の構成）
器具本体１０は、底面部１２と、二つの側面部１４と、バネ部１８を備える。なお、第一実施形態の器具本体１０は、上述したように、照明装置用の器具本体（照明装置用器具本体）である。
底面部１２は、長尺状に形成された平板であり、造営材（以降の説明では、「天井板Ｂ」と記載する場合がある）が形成する居室側の表面（天井面）と接触して、居室内の空間に配置されている。
【００１２】
また、底面部１２には、複数個所の器具側貫通孔１２２と、一箇所の電力供給ケーブル用孔部１２４が設けられている。
各器具側貫通孔１２２は、底面部１２を貫通する貫通孔である。また、各器具側貫通孔１２２は、後述する電源部２６と重ならない位置に配置されている。
また、器具側貫通孔１２２には、天井裏の空間（以降の説明では、「天井空間」と記載する場合がある）に配置されている吊りボルトＨＢを挿通させる。
電力供給ケーブル用孔部１２４は、被取付面から導出された電力供給ケーブル（図示せず）を器具本体１０に引き込むために設けられている。
【００１３】
各側面部１４は、平板状であり、底面部１２の長辺にそれぞれ連続している。
また、二つの側面部１４間の間隔は、底面部１２から離れた位置ほど広い。
また、各側面部１４は、底面部１２の長手方向に対して平行に配置されている。
バネ部１８は、図２中に示すように、底面部１２の造営材Ｂと対向する面と反対側の面（居室内を向く面）に設けられており、光源ユニット４を吊り下げて保持可能な弾性力を有している。
【００１４】
第一実施形態では、底面部１２が、二つのバネ部１８を有している場合について説明する。
なお、図２中に示すように、底面部１２の居室内を向く面には、端子台５２が設けられている。
端子台５２は、電力供給ケーブル（図示せず）が接続される。
具体的には、端子台５２には、天井等の被取付面から導出されて発光ユニット２０の電源部２６との間を電気的に接続する電力供給ケーブルが接続される。
【００１５】
（光源ユニットの構成）
光源ユニット４は、発光ユニット２０と、カバー部３０と、反射部材４０を備えている。
発光ユニット２０は、器具本体１０に取り付けられており、発光素子２２と、素子基板取付部２４と、電源部２６と、二つの基板支持部２８と、バネ受部５０を備えている。
発光素子２２は、少なくとも主出射方向へ光を出射可能な素子である。
第一実施形態では、発光素子２２を、ＬＥＤ（発光ダイオード：Ｌｉｇｈｔ  Ｅｍｉｔｔｉｎｇ  Ｄｉｏｄｅ）からなる発光素子（ＬＥＤ素子）で形成した場合について説明する。
【００１６】
素子基板取付部２４は、底面部１２の長手方向に沿って延びる長尺状の平板であり、底面部１２と対向する面と反対側の面（図４中では、下面）に、発光素子２２が設けられた素子基板２２０が取り付けられる。
また、素子基板取付部２４には、素子基板２２０を素子基板取付部２４に固定するための基板固定部材２４２が取り付けられている。
【００１７】
なお、図４においては、素子基板２２０と、基板固定部材２４２との間には隙間が空いているように見える。しかしながら、実際には、素子基板２２０と基板固定部材２４２との間には、発光素子２２が露出するように孔が開けられ、且つ、外形寸法が素子基板２２０と略同一な反射板（不図示）が設けられている。この反射板と基板固定部材２４２との間には、ほとんど隙間が空いていない。その結果、素子基板２２０は、基板固定部材２４２によって、素子基板取付部２４に固定されている。
【００１８】
電源部２６は、内部に電源回路を有しており、電源回路から、配線（図示せず）を介して、発光素子２２へ電力を供給する。
また、電源部２６は、素子基板取付部２４により、素子基板２２０を取り付けた面と反対側の面（図４中では、上面）に支持されている。
各基板支持部２８は、素子基板取付部２４を支持するとともに、カバー部３０に取り付けられる。
【００１９】
また、各基板支持部２８は、側壁部２８２と、外側対向部２８４と、傾斜連結部２８６を備えている。
側壁部２８２は、素子基板取付部２４の長辺にそれぞれ連続するとともに、底面部１２から離れる方向へ延在する板状の部材である。
外側対向部２８４は、後述する取付部３４と対向する板状の部材である。
傾斜連結部２８６は、側壁部２８２と外側対向部２８４とを連結するとともに、側壁部２８２から外側対向部２８４へ向かうにつれて、底面部１２から離れる方向へ傾斜する板状の部材である。
【００２０】
また、各基板支持部２８は、基板支持部２８のうち取付部３４と対向する部分の裏面側と素子基板取付部２４との間に、空隙部ＳＰが形成される形状に形成されている。
具体的には、側壁部２８２と外側対向部２８４とを、間隔を開けて配置するとともに、傾斜連結部２８６を、側壁部２８２の底面部１２から遠い側の端部（下端部）と外側対向部２８４の底面部１２から遠い側の端部（下端部）とを連続する形状に形成している。
【００２１】
カバー部３０は、器具本体１０に取り付けられて発光素子２２を覆う部材であり、透光部３２と、二つの取付部３４と、二つの端部カバー３６（図１、３を参照）を備えている。
また、カバー部３０は、樹脂材料（例えば、ポリカーボネートやポリプロピレン等）を用いて、白色に形成されている。なお、「白色」とは、「乳白色」を含む。
また、カバー部３０は、器具本体１０と、長手方向を揃えた長尺状に形成されている。
【００２２】
透光部３２は、発光素子２２が出射した光が透過する部材であり、居室内の空間に配置されている。
また、透光部３２は、光拡散性を有している。
また、透光部３２は、主面部３２２と、二つの斜面部３２４を備えている。
主面部３２２は、底面部１２と平行な平板状である。
また、底面部１２の長手方向から見た主面部３２２の法線ＮＬは、発光素子２２の主出射方向（素子基板２２０の法線方向）と平行である。
【００２３】
各斜面部３２４は、主面部３２２と各取付部３４との間を連結する平板状である。
また、各斜面部３２４は、二つの斜面部３２４間の間隔が、底面部１２から離れた位置ほど狭くなるように形成されている。
また、主面部３２２の延長線ＭＥＬと、斜面部３２４の延長線ＴＥＬとは、底面部１２の長手方向から見て傾斜している。
【００２４】
また、透光部３２は、底面部１２の長手方向から見た主面部３２２と二つの斜面部３２４との境界ＢＬが、発光素子２２（ＬＥＤ素子）が出射した光の照度が、予め設定した照度閾値未満となる位置に配置されるように形成されている。
第一実施形態では、底面部１２の長手方向から見た主面部３２２と二つの斜面部３２４との境界ＢＬを、底面部１２の長手方向から見た発光素子２２（ＬＥＤ素子）からの出射光が、１２０°となる位置に配置した場合について説明する。
照度閾値は、発光素子２２（ＬＥＤ素子）の性能や形状、大きさ、照明装置１に要求される性能等に応じて設定する値である。
第一実施形態では、照度閾値を、発光素子２２の直下照度の約８０％になる値に設定した場合について説明する。
【００２５】
各取付部３４は、透光部３２と連続して形成されており、透光部３２を支持するとともに、器具本体１０に取り付けられる。具体的には、二つの取付部３４が、二つの側面部１４のそれぞれに一つずつ固定されて、各取付部３４が、器具本体１０に取り付けられる。
また、各取付部３４は、透光部３２と同様、光拡散性を有している。
また、各取付部３４の一部は、固定される側面部１４と面接触している。具体的には、各取付部３４の透光部３２と連続している側の端部と反対側の端部を含む、各取付部３４の一部が、側面部１４と面接触している。
また、各取付部３４は、二つの取付部３４間の間隔が、底面部１２から離れた位置ほど広くなるように形成されている。
【００２６】
また、各取付部３４は、底面部１２の長手方向に対して平行に配置されている。したがって、各取付部３４と、各側面部１４は、共に、底面部１２の長手方向に対して平行に配置されている。
また、各取付部３４の一部、具体的には、各取付部３４のうち、側面部１４と面接触している部分よりも透光部３２側の部分は、居室内の空間に配置されている。
【００２７】
また、各取付部３４の外面の一部、具体的には、各取付部３４のうち、居室内の空間に配置されている部分の、予め設定した位置には、各取付部３４の外面の他の部分よりも摩擦係数が高くなる表面処理を施している。
各取付部３４の外面の他の部分よりも摩擦係数が高くなる表面処理を施す位置は、例えば、カバー部３０を取り外す作業を行う際に、作業員が手で触れてもカバー部３０が破損しにくい部分に設定する。
【００２８】
なお、摩擦係数が高くなる表面処理とは、例えば、ローレット加工等である。また、カバー部３０を取り外す作業を行う際に、作業員が手で触れてもカバー部３０が破損しにくい部分には、摩擦係数が高くなる表面処理を行わずに、指の形状に沿った凹部を形成してもよい。また、指の形状に沿った凹部に、摩擦係数が高くなる表面処理を行ってもよい。
また、各取付部３４の内面の一部、具体的には、各取付部３４のうち、器具本体１０と対向する面の裏面には、取付部３４の器具本体１０と対向する面の裏面から突出する、内方上側突出部３４２と、内方下側突出部３４４が形成されている。
【００２９】
内方上側突出部３４２は、各取付部３４の器具本体１０と対向する面の裏面のうち、外側対向部２８４よりも上側（底面部１２側）の部分から、透光部３２と二つの取付部３４で囲まれた空間側へ突出している。
内方下側突出部３４４は、各取付部３４の器具本体１０と対向する面の裏面のうち、外側対向部２８４よりも下側（透光部３２側）の部分から、透光部３２と二つの取付部３４で囲まれた空間側へ突出している。
したがって、内方上側突出部３４２及び内方下側突出部３４４は、内方上側突出部３４２と内方下側突出部３４４により、外側対向部２８４の上下方向への変位を規制可能な形状に形成されている。
【００３０】
各端部カバー３６は、図１及び３中に示すように、透光部３２と二つの取付部３４で囲まれた空間のうち、底面部１２の長手方向から見た空隙部を覆う部材である。すなわち、各端部カバー３６は、カバー部３０の、底面部１２の長手方向に沿った両端を覆う部材である。
また、端部カバー３６は、透光部３２及び各取付部３４と同様、光拡散性を有している。
また、端部カバー３６は、透光性を有している。
したがって、透光部３２と、二つの取付部３４と、二つの端部カバー３６を備えるカバー部３０は、光拡散性を有している。
また、発光ユニット２０とカバー部３０は、ボルト等で形成された締結部材（図示せず）を用いて締結されている。
バネ受部５０は、素子基板取付部２４の底面部１２と対向する面に設けられており、バネ部１８が係合する。
【００３１】
第一実施形態では、底面部１２が、二つのバネ部１８を有しているため、素子基板取付部２４に、二つのバネ受部５０が設けられている場合について説明する。
また、バネ部１８は、バネ受部５０と係合することにより、発光ユニット２０を器具本体１０に取り付けた状態を維持する。
したがって、バネ受部５０にバネ部１８が係合することで、二つの取付部３４が二つの側面部１４のそれぞれに接触している。
【００３２】
反射部材４０は、器具本体１０に取り付けられたカバー部３０内に配置されており、発光素子２２が発する光の少なくとも一部を反射する。
なお、第一実施形態では、反射部材４０を、発光素子２２が発する光の少なくとも一部を反射する機能を有する反射シートで形成した場合について説明する。
また、反射部材４０は、器具本体１０及びカバー部３０と、長手方向を揃えた長尺状に形成されている。
したがって、器具本体１０、カバー部３０及び反射部材４０は、いずれも長手方向を揃えた長尺状である。
また、反射部材４０は、短手方向の中央部が素子基板２２０と素子基板取付部２４との間に挟持されるとともに、短手方向の端部が傾斜連結部２８６に取り付けられている。
具体的には、反射部材４０の短手方向の端部は、傾斜連結部２８６と内方下側突出部３４４に挟持されて、傾斜連結部２８６に取り付けられている。
【００３３】
側端カバー２は、照明装置１が備える器具本体１０の開口を覆う部材である。なお、器具本体１０の説明は、後述する。また、連結された照明装置１が備える器具本体１０の開口は、同一形状で開口している。すなわち、連結された器具本体１０の底面部１２の長手方向に沿った両端は、同一形状で開口している。
したがって、二つの側端カバー２は、照明装置１が備える器具本体１０の開口を覆う。
【００３４】
なお、第一実施形態では、側端カバー２を、白色に形成した場合について説明する。
以上説明したように、照明装置１用の器具本体１０（照明装置用器具本体）は、底面部１２と、二つの側面部１４と、バネ部１８を含む。そして、バネ部１８はバネ受部５０と係合し、バネ受部５０にバネ部１８が係合することで、二つの側面部１４が二つの取付部３４にそれぞれ接触する。
また、以上説明したように、発光ユニット２０と、カバー部３０と、反射部材４０は、器具本体１０に取り付けられて照明装置１を構成するための、光源ユニットを形成している。
【００３５】
（照明装置１の設置）
次に、図１から図４を参照して、第一実施形態の照明装置１を設置する手順を説明する。
照明装置１を設置する際には、まず、予め側端カバー２を取り付けた状態の器具本体１０を天井板Ｂに下方から接触させる。
そして、底面部１２側に配置し、底面部１２との間に座金５４を介装したナット５６を、居室外の空間に設けられ、器具側貫通孔１２２を挿通させた吊りボルトＨＢに嵌合させて回転させ、底面部１２を天井板Ｂに接触させる。これにより、器具本体１０を、天井材に取り付ける。
【００３６】
次に、光源ユニット４を下方から器具本体１０に近づけ、バネ受部５０にバネ部１８を係合させて、光源ユニット４を器具本体１０に取り付ける。これにより、照明装置１の設置を終了する。
なお、光源ユニット４を器具本体１０に取り付ける際には、建築物に設けられた電力供給用のコネクタ（図示せず）を、電源部２６に接続する。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００３７】
（第一実施形態の効果）
第一実施形態では、以下に記載する効果を奏することが可能となる。
（１）発光ユニット２０、カバー部３０及び反射部材４０を備える光源ユニット４において、カバー部３０内に配置した反射部材４０に対し、短手方向の中央部を素子基板２２０と素子基板取付部２４との間に挟持し、短手方向の端部を傾斜連結部２８６に取り付ける。
その結果、発光ユニット２０が備える、素子基板２２０、素子基板取付部２４及び傾斜連結部２８６により、反射部材４０を保持することが可能となるため、光源ユニット４の部品点数の増加を抑制することが可能となる。
【００３８】
（２）反射部材４０の短手方向の端部が、傾斜連結部２８６と、カバー部３０が備える内方下側突出部３４４に挟持されて、傾斜連結部２８６に取り付けられる。
その結果、例えば、両面テープや接着剤の接着手段や、ビス等の締結部材を必要とせずに、反射部材４０を傾斜連結部２８６に取り付けることが可能となる。これにより、接着手段や締結部材を用いて反射部材４０を傾斜連結部２８６に取り付ける場合と比較して、照明装置１の組み立て作業を簡略化することが可能となる。
【００３９】
（３）カバー部３０が備える内方上側突出部３４２が、外側対向部２８４の端部と接触している。
その結果、例えば、両面テープや接着剤の接着手段や、ビス等の締結部材を必要とせずに、内方上側突出部３４２と内方下側突出部３４４により、外側対向部２８４を挟持して、カバー部３０により、発光素子２２、素子基板２２０、素子基板取付部２４及び基板支持部２８を保持することが可能となる。
【００４０】
（４）基板支持部２８のうち、取付部３４と対向する部分の裏面側と素子基板取付部２４との間に、空隙部ＳＰを形成する。
その結果、器具本体１０にカバー部３０を取り付けて形成した空間内に確保した、配線等を収容可能な収容空間の容積を増加させることが可能となる。
（５）カバー部３０全体を、白色に形成する。
その結果、発光素子２２から出射されてカバー部３０へ入射して居室内へ透過する光に対し、照度・輝度の減衰を抑制することが可能となる。
【００４１】
（６）カバー部３０が、光拡散性を有する。
その結果、発光素子２２から出射されてカバー部３０を透過した光を、居室内へ効率的に拡散させることが可能となる。
（７）発光素子２２を、ＬＥＤ素子で形成する。
その結果、耐久性及び経済性に優れた照明装置１を提供することが可能となる。
【００４２】
（８）底面部１２の長手方向から見た主面部３２２と二つの斜面部３２４との境界ＢＬを、発光素子２２（ＬＥＤ素子）が出射した光の照度が、照度閾値未満となる位置に配置する。
その結果、ＬＥＤ素子が出射した光の照度が低下する位置に、境界ＢＬを配置することが可能となるため、居室内の空間に存在する人員に対し、ＬＥＤ素子が出射した光の照度の視覚的な低下を、抑制することが可能となる。
【００４３】
（９）カバー部３０が、底面部１２の長手方向に沿った両端をそれぞれ覆う二つの端部カバー３６を備える。これに加え、端部カバー３６が、透光性を有する。
その結果、透光部３２と二つの取付部３４で囲まれた空間のうち、底面部１２の長手方向から見た空隙部を、透光性を有する端部カバー３６で覆うことが可能となる。これにより、透光部３２と二つの取付部３４で囲まれた空間のうち、底面部１２の長手方向から見た空隙部から、埃や虫等の異物が侵入することを抑制することが可能となるとともに、発光素子２２が出射した光を透過させることが可能となる。
【００４４】
（１０）各取付部３４の一部が、側面部１４と面接触している。
その結果、取付部３４と側面部１４との間に隙間が形成されることを防止して、取付部３４と側面部１４との間から埃や虫等の異物が侵入することを、抑制することが可能となる。
（１１）二つの取付部３４間の間隔が、底面部１２から離れた位置ほど広い。
その結果、光源ユニット４を、器具本体１０から取り外す作業を容易とすることが可能となる。
【００４５】
（１２）各取付部３４と各側面部１４が、共に、底面部１２の長手方向に対して平行に配置されている。
その結果、照明装置１の外観を、被取付面に沿った外観とすることが可能となる。
（１３）二つの側面部１４間の間隔が、底面部１２から離れた位置ほど広い。
その結果、光源ユニット４を器具本体１０内に下方から挿入する作業が容易となる。
【００４６】
（１４）主面部３２２の延長線ＭＥＬと、斜面部３２４の延長線ＴＥＬとが、底面部１２の長手方向から見て傾斜している。
その結果、カバー部３０の形状を、鈍角で折れ曲がる複数の面で形成された形状とすることが可能となり、意匠性が向上する。
（１５）底面部１２の長手方向から見た主面部３２２の法線ＮＬが、主出射方向と平行である。
その結果、発光素子２２から出射された光が、主面部３２２へ直進して入射するため、主面部３２２を透過した光の輝度・照度の低下を、抑制することが可能となる。
【００４７】
（１６）二つの斜面部３２４間の間隔が、底面部１２から離れた位置ほど狭い。
その結果、発光素子２２から出射されて斜面部３２４へ入射した光を、主面部３２２を透過した光に対して傾斜させて透過させることが可能となる。
（１７）端部カバー３６が、透光性を有する。
その結果、発光素子２２から出射された光を、端部カバー３６を透過させて居室内へ照射することが可能となる。
【００４８】
（１８）端部カバー３６が、光拡散性を有する。
その結果、発光素子２２から出射されて端部カバー３６へ入射した光を、居室内へ効率的に拡散させることが可能となる。
（１９）照明装置１が、器具本体１０の底面部１２の長手方向に沿った両端をそれぞれ覆う二つの側端カバー２を備える。
その結果、照明装置１が含む開口を、二つの側端カバー２で覆うことにより、照明装置１が含む開口から、埃や虫等の異物が侵入することを抑制することが可能となる。
【００４９】
（２０）器具本体１０が、底面部１２と、二つの側面部１４と、バネ部１８を含む。そして、バネ部１８はバネ受部５０と係合し、バネ受部５０にバネ部１８が係合することで、二つの側面部１４が二つの取付部３４にそれぞれ接触する。また、反射部材４０に対し、短手方向の中央部を素子基板２２０と素子基板取付部２４との間に挟持し、短手方向の端部を傾斜連結部２８６に取り付ける。
その結果、発光ユニット２０が備える、素子基板２２０、素子基板取付部２４及び傾斜連結部２８６により、反射部材４０を保持することが可能となるため、照明装置１の部品点数の増加を抑制することが可能となる。
【００５０】
（変形例）
（１）第一実施形態では、カバー部３０の構成を、カバー部３０全体、すなわち、透光部３２、取付部３４及び端部カバー３６が、光拡散性を有している構成としたが、これに限定するものではない。すなわち、カバー部３０の構成を、例えば、カバー部３０のうち、少なくとも透光部３２のみが、光拡散性を有している構成としてもよい。
この場合、カバー部３０全体が光拡散性を有している構成と比較して、カバー部３０の光拡散性を付与する加工・作業の負荷を減少させることが可能となる。
【００５１】
（２）第一実施形態では、発光素子２２をＬＥＤ素子で形成したが、これに限定するものではない。すなわち、発光素子２２を、例えば、有機ＥＬ（Ｅｌｅｃｔｒｏ  Ｌｕｍｉｎｅｓｃｅｎｃｅ）素子や無機ＥＬ素子等、ＬＥＤ素子以外で形成してもよい。
（３）第一実施形態では、一つの照明装置１のみを用いて照明機器を形成したが、これに限定するものではない。すなわち、照明装置１を底面部１２の長手方向に複数連結して、照明機器を形成してもよい。
この場合、二つの側端カバー２は、それぞれ、底面部１２の長手方向に沿って照明機器の両端に配置された照明装置１が備える器具本体１０の開口を覆う。
【００５２】
（４）第一実施形態では、照明装置１の構成を、器具本体１０が備えるバネ部１８が、発光ユニット２０が備えるバネ受部５０に係合する構成としたが、これに限定するものではない。すなわち、発光ユニット２０の構成を、素子基板取付部２４の素子基板２２０が取り付けられる面と反対側の面に設けられ、発光ユニット２０、反射部材４０及びカバー部３０を吊り上げて保持可能な弾性力を有するバネ部を備える構成とする。これ加え、器具本体１０の構成を、器具本体１０の素子基板取付部２４を向く面に設けられ、発光ユニット２０が備えるバネ部が係合するバネ受部を備える構成とする。そして、照明装置１の構成を、発光ユニット２０が備えるバネ部に、器具本体１０が備えるバネ受部が係合する構成としてもよい。
【符号の説明】
【００５３】
１…照明装置、２…側端カバー、４…光源ユニット、１０…器具本体、１２…底面部、１２２…器具側貫通孔、１２４…電力供給ケーブル用孔部、１４…側面部、１８…バネ部、２０…発光ユニット、２２…発光素子、２２０…素子基板、２４…素子基板取付部、２４２…基板固定部材、２６…電源部、２８…基板支持部、２８２…側壁部、２８４…外側対向部、２８６…傾斜連結部、３０…カバー部、３２…透光部、３２２…主面部、３２４…斜面部、３４…取付部、３４２…内方上側突出部、３４４…内方下側突出部、３６…端部カバー、４０…反射部材、５０…バネ受部、５２…電源端子台、５４…座金、５６…ナット、Ｂ…天井板、ＴＥＬ…斜面部の延長線、ＭＥＬ…主面部の延長線、ＢＬ…底面部の長手方向から見た主面部と二つの斜面部との境界、ＨＢ…吊りボルト
【図１】
0006473637.tif 000002
【図２】
0006473637.tif 000003
【図３】
0006473637.tif 000004
【図４】
0006473637.tif 000005